(57)【要約】      （修正有）【課題】複数のコンペ参加者等が記したメッセージを一望することができ、贈られた者が思い出の品として満足感を得ることのできる記念楯を提供する。【解決手段】平板状をなす本体部（２）と、本体部（２）の表面（１０）に着脱可能に装着されるとともに、メッセージ（１４）を寄書きできるスペース（１５）を有する寄書き部（３）と、本体部（２）を立設状態に支持する脚部（４）とを備えて記念楯（１）を構成した。寄書き部（３）には、所定の記録事項を表示する記録事項表示欄が一体に設けられ、油性又は水性のインク等の筆記具を用いてメッセージ（１４）及び所定の記録事項を書き入れ可能となされている。【選択図】図１
0003135286.tif 000002
【実用新案登録請求の範囲】
【請求項１】
平板状をなす本体部と、
該本体部の表面に着脱可能に装着されるとともに、メッセージを寄書きできるスペースを有する寄書き部と、
該本体部を立設状態に支持する脚部と、
を備えた記念楯。
【請求項２】
該寄書き部には、所定の記録事項を表示する記録事項表示欄が一体に設けられている請求項１に記載の記念楯。
【請求項３】
該寄書き部が、油性又は水性のインク等の筆記具を用いてメッセージ及び所定の記録事項を書き入れ可能となされている請求項２に記載の記念楯。
【請求項４】
該寄書き部が、磁石を介して該本体部に吸着されている請求項１乃至３の何れかに記載の記念楯。
【考案の詳細な説明】
【技術分野】
【０００１】
本考案は、メッセージを寄書きできるスペースを備えた記念楯に関する。
【背景技術】
【０００２】
従来、ゴルフ等のコンペ・競技会あるいはゲーム大会等の優勝者や入賞者に贈られる記念品として、記念楯が知られている。記念楯は一般的に、台板表面において王冠やレリーフ模様等が大きく表示され、その下部等に、競技会名、日付、入賞名、優勝者名・入賞者名等所定の記録事項を刻設した金属製の銘板が接着剤や螺子等を用いて固着されている。
【０００３】
このような従来の記念楯に対して、ホールインワンの記念ボールを埋め込んだ記念楯を提案したものとして、例えば特許文献１がある。
【０００４】
【特許文献１】実開平１−３２１９５号公報
【考案の開示】
【考案が解決しようとする課題】
【０００５】
近年、ゴルフ等のコンペや競技会では、友人やごく親しい間柄の者のみが参加して行われるものが増加する傾向にある。しかしながら、従来の記念楯では、決まりきった模様と所定の記録事項が表示されているに過ぎないため、記念楯を贈られた者にとって、思い出の品としては不十分で物足りないという問題があった。
【０００６】
そこで、本考案は上記問題に鑑みてなされたものであり、複数のコンペ参加者等が記したメッセージを一望することができ、贈られた者が思い出の品として満足感を得ることのできる記念楯を提供することを目的とするものである。
【課題を解決するための手段】
【０００７】
上記の課題を解決するために、請求項１に記載の記念楯は、平板状をなす本体部と、該本体部の表面に着脱可能に装着されるとともに、メッセージを寄書きできるスペースを有する寄書き部と、該本体部を立設状態に支持する脚部と、を備えたことを要旨とする。
【０００８】
また、請求項２に記載の記念楯は、請求項１に記載の構成において、該寄書き部には、所定の記録事項を表示する記録事項表示欄が一体に設けられていることを要旨とする。
【０００９】
また、請求項３に記載の記念楯は、請求項２に記載の構成において、該寄書き部が、油性又は水性のインク等の筆記具を用いてメッセージ及び所定の記録事項を書き入れ可能となされていることを要旨とする。
【００１０】
また、請求項４に記載の記念楯は、請求項１乃至３の何れかに記載の構成において、該寄書き部が、磁石を介して該本体部に吸着されていることを要旨とする。
【考案の効果】
【００１１】
本考案によれば、平板状をなす本体部と、該本体部の表面に着脱可能に装着されるとともに、メッセージを寄書きできるスペースを有する寄書き部と、該本体部を立設状態に支持する脚部と、を備えて記念楯を構成したため、複数のコンペ参加者等が記したメッセージを一望することができ、贈られた者が思い出の品として満足感を得ることのできる記念楯を提供することが可能となる。
【考案を実施するための最良の形態】
【００１２】
本考案に係る記念楯は、平板状をなす本体部の表面に寄書き部を着脱可能に装着したものであり、寄書き部はコンペ参加者等がメッセージを寄書きできるスペースを有している。
寄書き部は、油性又は水性のインク等の筆記具（例えばボールペン、カラーペン、サインペン、マーカー、万年筆、鉛筆）を用いて複数のコンペ参加者等が任意のメッセージを書き入れできること、さらに軽量化の観点から、白色等無地の紙製又はプラスチック製とすることが好ましい。特に光沢紙は耐久性や美感に優れており適している。
【００１３】
上記スペースは、本体部の表面において３０％程度以上、さらに５０％程度以上の平面積を占有することが好ましい。これにより、寄書きによる視覚的効果を向上させることが可能となる。
寄書き部には、上記スペースの他、コンペ名、日付、場所、優勝者名、スコア等所定の記録事項を表示する記録事項表示欄を一体に設けることもできる。
【００１４】
本体部は、楯として平板状をなすものであれば、如何なる形状であってもよい。
また、脚部についても、本体部を立設状態に支持できるものであれば、様々な構造のものを採用してよく、例えば本体部の背面に上端を軸支されたバー状で、本体部をやや傾斜して支持するものを用いることもできる。
本体部や脚部は、木や合成樹脂、金属等の任意の素材を用いて形成することができる。
【００１５】
本考案に係る記念楯は、例えばゴルフ等のコンペ・競技会あるいはゲーム大会の優勝者や入賞者へ贈られるものであるが、これに限らず、記念品として幅広く用いることができる。
【実施例１】
【００１６】
本考案の一実施形態を、図１〜図２を参照しながら説明する。図１は記念楯を示す斜視図、図２は寄書き部を示す正面図である。
図１に示すように、本実施例に係る記念楯（１）は、長方形の薄い板状をなす本体部（２）と、本体部（２）に装着される寄書き部（３）と、本体部（２）を立設状態に支持する脚部（４）と、を備えて構成されるものである。
【００１７】
図１に示すように、本体部（２）の表面（１０）における外周から少し入った位置には額縁（１１）が凸設されており、額縁（１１）の内周縁に沿い、寄書き部（３）が両面テープを用いて貼設されている。
寄書き部（３）は、図２に示す如くのシート状で、光沢紙によって形成されており、上方に、コンペ名、日付、場所、優勝者名、スコアを表示する記録事項表示欄（１３）が設けられるとともに、その下方には、複数のコンペ参加者がメッセージ（１４）を寄書きできる十分大きなスペース（１５）が設けられている。
【００１８】
脚部（４）は、図１に示すように、台座（１７）と支持金具（１８）によって構成されており、台座（１７）の底面から支持金具内部（１８）を貫通する螺子を介して、本体部（２）下側面に止着されている。
また、本体部（２）左前方の台座（１７）上には、図１に示す如くスイング中のゴルファーを象徴するブロンズ像（２０）が配設され、装飾効果を高めている。
【００１９】
本実施例の記念楯（１）では、図２に示すように、寄書き部（３）に所定の事項があらかじめ印刷されているとともに、空白欄にはサインペン等の筆記具を用いて自由に文字や図柄を書き入れることができるようになっている。従って、金属板への彫刻等といった面倒な作業を行うことなく、所定の記録事項を記録事項表示欄（１３）に簡単に表示させることができる。
【００２０】
そして、メッセージ（１４）を寄書きできるスペース（１５）が設けられているため、多数のコンペ参加者がそれぞれ好きなメッセージ（１４）を自由に書き入れることが可能となる。従って、記念楯（１）を贈られた者は、コンペの思い出を印象深く、長く記憶にとどめることができ、満足感を得られる。
寄書き部（３）は、両面テープによって本体部（２）に貼設されるようになっているため、寄書き部（３）のみをコンペ参加者の間で順次回してメッセージ（１４）を寄書きすることができ、本体部（２）への取り外しも容易に行える。
なお、寄書き部（３）の前面を覆う透明のアクリル板を額縁（１１）に内接して設けるとともに、額縁（１１）の上辺等を寄書き部（３）の幅で切欠し、そこから寄書き部（３）を挿脱自在とする構成としてもよい。このようにすれば、寄書き部（３）の変色等を抑制することができる。
【実施例２】
【００２１】
本考案の他の実施形態を、図３〜図４を参照しながら説明する。図３は記念楯を示す正面図、図４は記念楯を示す側面断面図である。
図３〜図４に示すように、本実施例に係る記念楯（１’）は、本体部（２’）がひし形を変形した形状をなし、表面（１０’）中央部に、メッセージ（１４’）を寄書きできる円板シート状の寄書き部（３’）が装着されるともに、その下方に、入賞名やコンペ名等の記録事項を刻設した銘板（２２）が接着された構成のものである。
【００２２】
本実施例に係る記念楯（１’）では、図４に示すように、寄書き部（３’）の裏面全面に同一平面形状の磁性体製薄板（２５）が一体に貼設されており、寄書き部（３’）が、本体部（２’）の凹部（２６）における適宜の位置に埋設された磁石（２７）によって吸着されるようになっている。
【００２３】
本実施例に係る記念楯（１’）によれば、寄書き部（３’）の表面全てをメッセージ（１４’）の寄書きのためのスペース（１５’）とすることができる。また、寄書き部（３’）の裏面には磁性体製薄板（２５）を貼設しているため、寄書き部（３’）の耐久性を向上させることができるとともに、磁石（２７）を介して、本体部（２’）や寄書き部（３’）を損傷させることなく容易に取り外しが行えることから、本体部（２’）と寄書き部（３’）とを繰り返し何回でも着脱して用いることが可能となる。従って、記念楯（１’）の寄書き部（３’）を除く部分を持ち回りとする場合等に便宜である。
【産業上の利用可能性】
【００２４】
本考案は、複数のコンペ参加者等が記したメッセージを一望することができ、贈られた者が思い出の品として満足感を得ることのできる記念楯を提供するものであり、産業上の利用可能性を有する。
【図面の簡単な説明】
【００２５】
【図１】記念楯を示す斜視図である。
【図２】寄書き部を示す正面図である。
【図３】他の実施形態に係る記念楯を示す正面図である。
【図４】他の実施形態に係る記念楯を示す側面断面図である。
【符号の説明】
【００２６】
１、１’  記念楯
２、２’  本体部
３、３’  寄書き部
４、４’  脚部
１０、１０’  表面
１３  記録事項表示欄
１４、１４’  メッセージ
１５、１５’  スペース
【図１】
0003135286.tif 000003
【図２】
0003135286.tif 000004
【図３】
0003135286.tif 000005
【図４】
0003135286.tif 000006